(57)【要約】【課題】従来技術の欠点の少なくとも１つを軽減するか取り除く、イメージング・ボリューム用の磁場を形成する方法を提供する。【解決手段】イメージング・ボリューム用の磁場を決定する方法は、磁石組立体の初期モデルを生成することと、そのモデルに基づいて、イメージング・ボリューム用の磁場を見積もることと、その見積もられた磁場とイメージング・ボリューム用の目標磁場との間の偏差を計算することと、組み合わされることで目標ボリューム内に目標磁場を実質的に生成する様々な磁場強度を生成するように、磁石組立体を修正することで偏差を小さくするようにモデルをアップデートすることと、を含んでいる。【選択図】図１
2015116491.tif 000002
【特許請求の範囲】
【請求項１】
目標ボリューム用の磁場を決定する方法であって、
互いに一定の間隔を置いて配置された少なくとも２つの磁石を有し、概ね第１の磁石の中心から第２の磁石の中心へ延びる軸を有する磁石組立体と、前記目標ボリューム内の前記磁場を許容できないほど不均一にするように前記目標ボリューム内の前記磁場を乱すことができる１つ以上の物体との初期モデルを生成することと、
前記モデルに基づいて、前記目標ボリューム用の前記磁場を見積もることと、
前記見積もられた磁場と、前記目標ボリューム用の目標磁場との間の偏差を計算することと、
様々な磁場強度を生成し、該磁場強度が組み合わされて前記目標ボリューム内に前記目標磁場を実質的に生成するように、前記磁石組立体を表す１つ以上のパラメータを非軸対称に修正することで前記偏差を小さくするように前記モデルをアップデートすることと、
を含む、目標ボリューム用の磁場を決定する方法。
【請求項２】
前記磁石のそれぞれが、内側を向いた表面を有し、前記１つ以上のパラメータが、前記内側を向いた表面の一方または両方の表面形状を表す、請求項１に記載の方法。
【請求項３】
前記初期モデルにおける前記少なくとも２つの磁石が互いに同じであり、前記アップデートされたモデルにおける前記少なくとも２つの磁石が互いに異なっている、請求項２に記載の方法。
【請求項４】
前記初期モデルにおける前記少なくとも２つの磁石が互いに同じであり、前記アップデートされたモデルにおける前記少なくとも２つの磁石が互いに同じである、請求項２に記載の方法。
【請求項５】
前記１つ以上のパラメータが、磁石の形状、磁石の寸法、磁石の材料、および磁石組立体サイズの許容範囲の少なくとも１つを表す、請求項２から４のいずれか１項に記載の方法。
【請求項６】
前記少なくとも２つの磁石が、前記初期モデルの一部であるヨーク組立体によって、前記一定の間隔に維持されている、請求項２から５のいずれか１項に記載の方法。
【請求項７】
前記内側を向いた表面の一方または両方の表面形状を表す前記１つ以上のパラメータが、前記磁石組立体の軸に沿った、前記内側を向いた表面上の各点の位置を含む、請求項１から５のいずれか１項に記載の方法。
【請求項８】
少なくとも前記磁石組立体サイズの許容範囲が、前記修正の間、一定のままである、請求項５に記載の方法。
【請求項９】
前記初期モデルにおいて、前記１つ以上のパラメータは、前記磁石の前記内側を向いた表面が平面状であることを特定し、前記修正の間、前記１つ以上のパラメータは修正され、前記磁石の前記内側を向いた表面の少なくとも１つが平面状でないことを特定する、請求項２から８のいずれか１項に記載の方法。
【請求項１０】
前記目標磁場が、許容できるほどに均一な磁場であり、
前記磁石組立体に加えて、１つ以上の装置を組み込んだ、アップデートされたモデルを生成することであって、前記１つの以上の装置は、該１つ以上の装置を許容できないように動作させるように、前記イメージング・ボリューム内の前記磁場を乱すことができる、アップデートされたモデルを生成することと、
前記１つ以上の装置と前記磁場との干渉を減らすように、前記アップデートされたモデルに基づいて前記目標磁場を修正することと、
前記アップデートされたモデルに基づいて、前記見積もること、前記計算すること、および前記アップデートすることを実行することと、
をさらに含む、請求項１から９のいずれか１項に記載の方法。
【請求項１１】
前記目標磁場を修正することが、不均一性の許容閾値を修正することを含む、請求項１０に記載の方法。
【請求項１２】
前記見積もること、前記計算すること、および前記アップデートすることが、閾値回数だけ繰り返し実行されるか、または、前記偏差の大きさが閾値レベルを下回るまで繰り返し実行されるか、または、連続した繰り返しの間の閾値量以上には前記偏差の大きさが変化しなくなるまで繰り返し実行されるか、または、閾値回数だけ、前記偏差の大きさが閾値レベルを下回るまで、および連続した繰り返しの間の閾値量以上には前記偏差の大きさが変化しなくなるまで繰り返し実行される、請求項１から１１のいずれか１項に記載の方法。
【請求項１３】
目標ボリューム用の磁場を決定するための命令が格納された、コンピュータに読み込み可能な媒体であって、コンピュータによって前記命令が実行されると、前記コンピュータが、
互いに一定の間隔を置いて配置された少なくとも２つの磁石を有し、概ね第１の磁石の中心から第２の磁石の中心へ延びる軸を有する磁石組立体と、前記目標ボリューム内の前記磁場を許容できないほど不均一にするように前記目標ボリューム内の前記磁場を乱すことができる１つ以上の物体との初期モデルを生成することと、
前記モデルに基づいて、前記目標ボリューム用の前記磁場を見積もることと、
前記見積もられた磁場と、前記目標ボリューム用の目標磁場との間の偏差を計算することと、
様々な磁場強度を生成し、該磁場強度が組み合わされて前記目標ボリューム内に前記目標磁場を実質的に生成するように、前記磁石組立体を表す１つ以上のパラメータを非軸対称に修正することで前記偏差を小さくするように前記モデルをアップデートすることと、
を行う、コンピュータに読み込み可能な媒体。
【発明の詳細な説明】
【技術分野】
【０００１】
本発明は概して、特別に所望された所定の特性を有する磁場に関し、特に磁石組立体およびイメージング・ボリューム用磁場を決定する方法に関する。
【０００２】
本発明は、米国特許法第１１９条（ｅ）項の下で、その内容が参照により全面的に本明細書に組み込まれる、２００８年６月２４日に出願された米国特許仮出願第６１／１２９，４１２号の優先権を主張する。
【背景技術】
【０００３】
磁気共鳴イメージング、すなわちＭＲＩは、人間の患者などの物体をＭＲＩ機器の中に入れ、ＭＲＩ機器内に収容された分極磁石によって発生した一様な磁場にさらす周知の画像技術である。ＭＲＩ機器内に収容された無線周波数（ＲＦ）コイルによって発生したＲＦパルスを用いて、患者の標的組織が走査される。ＭＲＩ信号が、連続したＲＦパルスとＲＦパルスとの間に、標的組織内の励起核によって放射され、ＲＦコイルによって検知される。ＭＲＩ信号が検知される間、細かく制御された傾斜磁場が素早く切り替えられて、局所領域における一様な磁場を変化させ、それによって標的組織の選択された複数のスライスによって放射されたＭＲＩ信号の空間的な位置特定を可能にする。次に、検知されたＭＲＩ信号は、多くの知られた技術の１つを用いて、デジタル化されて処理され、標的組織の複数のスライスからなる画像に再構成される。
【０００４】
ＭＲＩを実行可能なシステムでは、特定のイメージング・ボリューム内の物体の複数の核スピンを一直線に揃えるために、強力で一様な静磁場が必要となる。この静磁場は通常、０．１から４．７テスラ程度の磁場強度を有する、永久磁石組立体またはコイル磁石組立体によって、画像ボリューム内に生成される。検知が行われている間、画像ボリューム内に付与された、細かく制御された傾斜磁場によって、異なる場所にある複数の核スピン間の識別が可能となる。しかしながら、イメージング・ボリューム内の静磁場の不均一性は、画像取得の間は傾斜磁場から切り離すことは不可能であり、得られる画像の幾何学的ひずみを直接引き起こす。これらのひずみは、ＭＲＩシステムが、取得された画像の幾何学的精度に依存する他の手法、例えば、これには限定されないが放射線治療などの他の手法と併用して用いられるときに、特に有害である。したがって、静磁場の不均一性を大幅に下げることは、高画質と高い幾何学的精度を有する画像を達成するために極めて重要である。例えば、許容できる画質は、不均一性の程度がイメージング・ボリューム内で１０ｐｐｍ程度である場合に得ることができる。
【０００５】
受動シミング（passive shimming）のような技術を用いて、静磁場の軸対称および非軸対称の不均一性を減らすことが知られている。受動シミングは、磁石組立体が製造された後に実行され、追加の磁性材料片をイメージング・ボリューム内およびその周りに効果的に配置することを必要とする。追加の磁性材料片は通常、リング、リングセグメント、円筒、角柱を含む様々な形状を有している。シミングは、いくつかの用途では、イメージング・ボリューム内の不均一性を抑える上で有効であるが、その有効性は、製造後に最初の磁場不均一性が存在する範囲によって制限される。したがって、磁石組立体の構造には著しい制約があり、検査されている物体のために適切な大きさでアクセス可能な空間を磁石組立体内に維持するという要求によって著しい制約が生じる。
【０００６】
内在する軸対称の磁場不均一性を減らすために、受動シミング技術の制限を回避する試みが、製造された磁石組立体の構造を改良することによって行われている。２面式磁石の技術の現状では、磁極片の互いに対向する表面は、各磁極片が、対向する磁極片の表面に向かって概ね延びる軸の周りに軸対称となるように、曲面状に形成されている。例えば、そのような磁極片の最も一般的な構造はローズリング構造として知られており、このローズリング構造では、イメージング・ボリュームに最も近い磁極片の表面が、磁極片の前記表面の周辺に沿って設置された、磁性材料からなるリングを除いて、完全に平坦である。より詳細には、軸からの半径方向距離に対する、磁極片表面の、軸に沿った軸方向距離のグラフが、ローズリングの半径方向位置に一つの垂直な段差を有する、傾きがゼロの直線となる。
【０００７】
米国特許第５，５３９，３６６号明細書に開示された１つの磁石組立体構造は、軸対称に形成された複数の磁極片からなり、軸からの半径方向距離に対する、磁極片表面の、軸に沿った軸方向距離のグラフは、区分線形曲線であるか、少なくとも２回符号反転する、連続した勾配を有する非線形曲線である。このような構造は両方とも、軸から同じ半径方向距離に位置する、磁極片の表面領域上の複数の点も軸から共通の軸方向距離に位置し、したがって磁場の軸対称の不均一性だけしかシミングの前に減らすことができないという点で制約がある。さらに、これらのシステムは、磁極片サイズがやむを得ず非常に大きくなるにつれて、大規模になるとともに動かすことができなくなり、したがって検査されている被検者に対して動かすのに適していない。
【０００８】
他の物体および／または装置がＭＲＩ装置の近傍に配置されることが多い。その内容が参照により全面的に本明細書に組み込まれる、例えば、Ｆａｌｌｏｎｅらによる国際公開第２００７／０４５０７６号には、外照射療法とＭＲＩの一体型システムが記載されており、そのシステムでは、撮像と治療を同時に行うために、線形加速器（リニアック）がＭＲＩ装置に接続されている。残念なことに、磁石組立体構造の技術の現状は、許容できるほど均一なイメージング・ボリュームおよび特定の磁場特性を有する他のボリュームの少なくとも一方のボリュームを提供するとともに、磁石組立体のサイズが扱いやすいものになることを保証しつつも、物体や追加の治療装置または診断装置を磁石組立体内またはその近傍に組み入れることの影響に対処していない。そのような追加の装置の動作は、それらの設置場所での磁場の存在または特性、あるいはその両方によって影響されることがあり、またその動作自体が、イメージング・ボリューム内の磁場の特性を変化させることがある。さらに、そのような物体または装置を磁石組立体内またはその近傍にまとめるには、該物体または該装置を配置するため、あるいは該物体または該装置自体の性能に効果を与えるために、磁石組立体内に、例えば磁石構造を貫通する大きな穴などの、特定のボリュームの自由空間を空けることが必要となる。例えば、磁石組立体によって生成された複数の磁場を、特に患者の線量測定のその後の摂動（perturbation）を減らすために、画像誘導放射線治療用のリニアックの導波路内の電子（または陽子線治療用にリニアックで生成された陽子）の方向に揃えることが有利かもしれない。一般に、そのような空けられたボリュームは、磁石組立体によって生成された磁場に著しく影響し、イメージング・ボリューム内の非常に不均一な磁場の一因となる。
【発明の概要】
【発明が解決しようとする課題】
【０００９】
したがって、本発明の目的は、従来技術の上記した欠点の少なくとも１つを軽減するか取り除く、イメージング・ボリューム用の磁場を形成する磁石組立体と方法を提供することである。
【課題を解決するための手段】
【００１０】
本発明の一態様によれば、磁石組立体が提供され、その磁石組立体は、
少なくとも２つの磁石であって、互いに一定の間隔を置いて配置され、それにより磁石同士の間にイメージング・ボリュームを取り囲む空間を形成する少なくとも２つの磁石を有し、磁石のそれぞれは、その磁石の、内側を向いた表面全域に様々な磁場強度を生成し、それら磁場強度が組み合わされて、イメージング・ボリューム内に許容できるほど均一な磁場を生成する。
【００１１】
磁石の、内側を向いた表面全域での様々な磁場によって、イメージング・ボリューム内での撮像にとって許容でき、かつ必ずしも非常に大きな磁石を使用することなく十分な大きさとなる、ほぼ均一な磁場を生成することが可能となる。したがって、磁石の、内側を向いた表面全域での様々な磁場の生成によって、所与のイメージング・ボリュームに対してより小型の磁石組立体を可能にする構成がもたらされる。
【００１２】
本発明の他の態様によれば、磁気共鳴イメージング（ＭＲＩ）装置が提供され、そのＭＲＩ装置は、
上記した磁石組立体と、
摂動の後でほぼ均一な磁場に再整列するときに、陽子によって放射された無線周波数信号をイメージング・ボリューム内で検出し、それらの無線周波数信号に基づいて撮像が行われる、検出器と、を有している。
【００１３】
本発明の他の態様によれば、イメージング・ボリューム用の磁場を決定する方法が提供され、その方法は、
磁石組立体の初期モデルを生成することと、
そのモデルに基づいて、イメージング・ボリューム用の磁場を見積もることと、
その見積もられた磁場と、イメージング・ボリューム用の目標磁場との間の偏差を計算することと、
様々な磁場強度を生成し、それら磁場強度が組み合わされて、イメージング・ボリューム内に目標磁場を実質的に生成するように、磁石組立体を修正することで偏差を小さくするようにモデルをアップデートすることと、を含んでいる。
【００１４】
一実施態様では、目標磁場が許容できるほど均一な磁場であり、前記初期モデルが、磁石組立体を特定する複数のパラメータに基づいており、修正することが、磁石組立体の２つの磁石の、内側を向いた表面の一方または両方の表面形状を表す１つ以上のパラメータを修正することを含んでいる。
【００１５】
本発明の他の態様によれば、イメージング・ボリューム用の磁場を決定するための、コンピュータに読み込み可能なプログラムを備えたコンピュータに読み込み可能な媒体が提供され、コンピュータプログラムが、
磁石組立体の初期モデルを生成するコンピュータプログラムコードと、
そのモデルに基づいて、イメージング・ボリューム用の磁場を見積もるコンピュータプログラムコードと、
その見積もられた磁場とイメージング・ボリューム用の目標磁場との間の偏差を計算するコンピュータプログラムコードと、
様々な磁場強度を生成し、それら磁場強度が組み合わされて、イメージング・ボリューム内に目標磁場を実質的に生成するように、磁石組立体を修正することで偏差を小さくするようにモデルをアップデートするコンピュータプログラムコードと、
を有している。
【００１６】
本発明の他の態様によれば、磁石組立体が提供され、その磁石組立体は、
少なくとも２つの磁石であって、互いに一定の間隔を置いて配置され、それにより磁石同士の間に空間を形成する少なくとも２つの磁石を有し、磁石のそれぞれは、その磁石の、内側を向いた表面全域に様々な磁場強度を生成し、それら磁場強度が組み合わされて、目標ボリューム内に目標磁場を生成する。
【００１７】
本発明のさらに他の態様によれば、目標ボリューム用の磁場を決定する方法が提供され、その方法は、
磁石組立体の初期モデルを生成することと、
そのモデルに基づいて、目標ボリューム用の磁場を見積もることと、
その見積もられた磁場と目標ボリューム用の目標磁場との間の偏差を計算することと、
様々な磁場強度を生成し、それら磁場強度が組み合わされて、目標ボリューム内に目標磁場を実質的に生成するように、磁石組立体を修正することで偏差を小さくするようにモデルをアップデートすることと、
を含んでいる。
【００１８】
本発明のさらに他の態様によれば、目標ボリューム用の磁場を決定するコンピュータプログラムを具体化する、コンピュータに読み込み可能な媒体が提供され、そのコンピュータプログラムは、
磁石組立体の初期モデルを生成するコンピュータプログラムコードと、
そのモデルに基づいて、目標ボリューム用の磁場を見積もるコンピュータプログラムコードと、
その見積もられた磁場と目標ボリューム用の目標磁場との間の偏差を計算するコンピュータプログラムコードと、
様々な磁場強度を生成し、それら磁場強度が組み合わされて、目標ボリューム内に目標磁場を実質的に生成するように、磁石組立体を修正することで偏差を小さくするようにモデルをアップデートするコンピュータプログラムコードと、
を有している。
【００１９】
本明細書で述べる方法は、医学的応用、特に、２面式磁石構成（例えば、ヘルムホルツ型）が採用される磁気共鳴イメージング（ＭＲＩ）を含む医学的応用で使用するための、磁石組立体のコンピュータベースの設計に適用することができる。そのような２面式磁石組立体は、概ね対向する第１および第２の磁極面を有し、間隔を置いて配置された第１および第２の磁極片を備えた磁石組立体、例えば、これらには限定されないが、Ｃ形状の磁石、２つの柱状磁石、４つの柱状磁石などを備えた磁石組立体を含んでいる。そのような応用では、本発明を使用して、軸対称および／または非軸対称の磁場不均一性を減らすことにより、特定のイメージング・ボリューム内にほぼ一様な磁場を生成する磁石組立体を製造することができる。より一般的には、本明細書に記載された本方法を用いて、磁場の存在または特性、あるいはそれらの両方によって動作が影響されうる追加の物体または装置が設置された、磁石組立体内または磁石組立体の近傍の特定の領域に、特別に所望された特性を有する磁場を生成することができる。そのような物体または装置は、Ｘ線管、医療用線形加速器導波管（リニアック）、フラットパネル撮像装置、核医学または超音波撮像装置、または他の装置であってよい。そのような装置は、２つの磁極間の空き空間の端部に配置されていてよい。本明細書に記載された本方法は、磁極の両方または一方の中央または任意の場所に、装置をその場所に位置決めするための開口を含む磁石組立体用のイメージング・ボリューム内に磁場を形成することにも適用することができる。そのような配置は、設計上または動作上の利点のため、例えば、サイズの縮小、撮像システムと一体化した処理システムにおける患者の線量測定の摂動の減少、および特定の磁場の生成の少なくとも１つのために行ってもよい。例えば、１つの特定の構成としては、導波路内の電子または電子によって生成された光子の方向が磁石によって生成された磁場と平行であり、したがって患者の線量測定のその後の摂動を減少させる磁石構造内の場所に、線形加速器（リニアック）を位置決めすることであろう。
【００２０】
本明細書に開示された本方法の他の利点は、本方法が多くの用途に適用できることである。例えば、多くの用途ではイメージング・ボリューム内にはほぼ均一な磁場が存在することが望ましいが、ある用途では、イメージング・ボリューム内の磁場は、例えば、特別に所望の勾配を有する、所望ではあるがほぼ不均一の磁場であってもよい。より一般的には、本発明は、イメージング・ボリューム内の磁場を形成するために用いられるのであって、撮像を意図したものではない。例えば、本発明は、偏向磁石を用いて現在行われているような、電子ビームまたは陽子ビームの経路を方向付け／案内／変更するためにボリューム用の磁場を決定することが望まれることがある。
【００２１】
本明細書に記載した磁石組立体および方法は、外照射療法システムとＭＲＩシステムとを統合したシステムに適用可能であり、またその内容がいずれも参照により本明細書に全面的に組み込まれる、Ｆａｌｌｏｎｅらによる国際公開第２００７／０４５０７６号および国際公開第２００７／０４５０７５号に記載されたシステムなどの、回転モードで使用するために構成されたシステムにも適用可能である。
【図面の簡単な説明】
【００２２】
【図１】一実施形態おける、開放式の小型磁石組立体の斜視図である。
【図２】本発明の開放式の小型磁石組立体の断面図であって、磁極組立体表面と、この磁極組立体表面上の位置を表す可変設計パラメータの分布とを直接示す図である。
【図３】磁極組立体表面上の位置の可変設計パラメータ分布の、角度位置に対して半径方向位置をプロットしたグラフである。
【図４】一実施形態における、凹凸のある非軸対称な磁極組立体を分離して示す斜視図である。
【図５】特に、磁石組立体全体を貫通して空けられた２つの大きな穴を有する、代替の開放式の小型磁石組立体の斜視図である。
【図６】貫通して空けられた大きな穴を有する、磁石組立体の初期モデルにおける強磁性磁極片の斜視図であって、可変設計パラメータによって表される表面位置の分布を併せて示す図である。
【図７】図６の磁極片を組み込んだ磁石組立体に本方法を適用することによって得られた、軸対称の凹凸を有する強磁性磁極片の斜視図である。
【図８】一実施形態における、イメージング・ボリューム用の磁場を決定するステップを示すフローチャートである。
【図９】図８に示す磁石組立体の初期モデルを生成するステップを詳細に示すフローチャートである。
【図１０】図８に示す、目的関数の形態としての目標磁場からの偏差を計算するステップを詳細に示すフローチャートである。
【発明を実施するための形態】
【００２３】
次に、添付の図面を参照して、実施形態をより詳細に説明する。
【００２４】
ここで、全図にわたって同じ番号が同じ要素を示す図面を参照すると、図１から図４は一実施形態の磁石組立体１を示している。本実施形態では、磁石組立体１は第１の強磁性磁極組立体２と第２の強磁性磁極組立体３とを含んでいる。第１および第２の強磁性磁極組立体２，３は、「２面式」磁石として互いに一定の間隔を置いて配置され、それによりイメージング・ボリューム１７を取り囲むとともに、イメージング・ボリューム１７において撮像される物体（図示せず）を受け入れるのに十分な空間をそれらの間に形成している。磁石組立体１は、撮像される物体が、磁極組立体２，３の間を移動してイメージング・ボリューム１７に位置することができるので、「開放」されている。
【００２５】
本実施形態では、第１および第２の強磁性磁極組立体２，３のそれぞれは、円柱状の永久磁石片６（７）と、ほぼ円柱状の強磁性体片８（９）との両方を有している。円柱状の永久磁石片６（７）と、ほぼ円柱状の強磁性体片８（９）とは、強磁性体片８（９）がイメージング・ボリューム１７と永久磁石片６（７）との間に位置するように配置されている。内側を向いた表面、すなわち「磁極面」４，５が、第１の強磁性磁極組立体２と第２の強磁性磁極組立体３との間の空間に隣接している。ここでさらに詳しく述べるように、第１および第２の強磁性磁極組立体２，３のそれぞれは、その内側を向いた表面４，５全域に様々な磁場強度を生成して、イメージング・ボリューム内に、許容できるほど均一な磁場を生成する。本実施形態では、許容できるほど均一な磁場は、約１０ｐｐｍまたはそれ以下の磁場不均一性を有する磁場である。このレベルの不均一性は、例えば、摂動の後でほぼ均一な磁場に再整列するときに、陽子によって放射され、イメージング・ボリューム１７内の検出器５０によって検出された高周波信号に基づく撮像を行うような、磁気共鳴イメージング（ＭＲＩ）装置での使用には許容できると考えられる。
【００２６】
強磁性体片８，９は、厳密な円柱状に対して「ほぼ」円柱状であると見なされているが、それは、図１において上（または下）から見たときに強磁性体片８，９は円形であるが、内側を向いた、すなわち「対向する」表面、つまり磁極面４，５が、本実施形態では厳密には平面状ではないからである。むしろ、各強磁性体片８，９は、（断面で見たときに）磁性材料が様々な厚さを有するように形成され、それにより内側を向いた表面４，５全域に様々な磁場強度を生成している。
【００２７】
本実施形態では、磁石組立体１は、４本の柱１３−１６に接続された第１および第２のヨークプレート１１，１２を有するヨーク構造体１０をさらに含んでいる。第１の磁極組立体２は、第１のヨークプレート１１の、第２のヨークプレート１２に最も近接した、内側を向いた表面に接続されている。同様に、第２の磁極組立体３は、第２のヨークプレート１２の、内側を向いた表面に接続されている。
【００２８】
当然のことながら、ＭＲＩなどの特定の磁石用途では、イメージング・ボリューム１７内に大きな全磁場強度が要求される。本実施形態では、この大きな磁場強度を実現するために、永久磁石片６，７は、ネオジム−鉄−ボロン化合物から形成されている。他の実施形態では、永久に磁化され、大きな最大エネルギー積を有する１つまたは複数の他の材料を使用してもよい。さらに、強磁性体片８，９およびヨーク構造体１０はそれぞれ、スチールなどの鉄含有材料から形成されている。上記したように、イメージング・ボリューム内に良好な磁場均一性を有することは、特にＭＲＩの用途にとって有利である。しかしながら、従来の周知の磁石組立体、特に平面状の磁極面を有する磁石組立体では、その磁石組立体によって生成される磁場は、一般に均一性のレベルが低い。さらに、従来の周知の磁石組立体では、磁石組立体全体が非軸対称の形状であるため、特に、ヨーク構造体が非軸対称の形状であるため、それに応じて、イメージング・ボリューム内の磁場不均一性は軸対称にも非軸対称にもなる。その結果、そのような従来の周知の磁石組立体における、許容できるほど均一な（すなわち、撮像に適した）磁場を含む任意の空間ボリュームは、その磁気組立体全体の大きさに比べて非常に小さく、そのため、十分な大きさのイメージング・ボリュームを実現するには非常に大きな磁石が必要となる。
【００２９】
ここで、図８を参照して、イメージング・ボリューム用の磁場を決定する方法を説明する。本方法では、磁石組立体１の初期モデルが生成され（ステップ１００）、このモデルに基づいて、イメージング・ボリューム用の磁場が見積もられる（ステップ２００）。この磁場と、イメージング・ボリューム用の目標磁場との間の偏差が計算され（ステップ３００）、磁石組立体１を修正することでこの偏差を小さくするようにモデルがアップデートされて、様々な磁場強度が生成され、それら磁場強度が組み合わされてイメージング・ボリューム内に目標磁場が実質的に生成される（ステップ４００）。
【００３０】
もし、ステップ４００でのアップデートの後に、再度の繰り返しが要求されていると判定されると（ステップ５００）、見積もり、計算、およびアップデートの各ステップが再度行われる。
【００３１】
本実施形態では、目標磁場は均一な磁場であって、イメージング・ボリューム内にその目標磁場をほぼ生成することで、ほぼ均一な磁場がイメージング・ボリューム内に生成されるような均一な磁場である。
【００３２】
図９は、ステップ１００に示すような、磁石組立体１の初期モデルを生成する上記ステップをさらに詳しく示している。まず、磁石および磁石組立体１の形状、寸法、および材料を表す複数のパラメータを定義する、磁石組立体１用の設計パラメータ化が選択される（ステップ１１０）。
【００３３】
次に、それらのパラメータに初期値を与え、変数あるいは定数に指定するような制約条件が定義される（ステップ１１２）。設計パラメータの初期値を、それらが特定の制約条件を満たすならば、経験的に、任意に、あるいはランダムに行うことを含めて、何らかの方法で選択または予め定義することができる。例えば、本実施形態では、磁石組立体１の材料は、上記したスチールおよびネオジム−鉄−ボロン化合物の磁気特性を示すものとして最初に定義されるが、モデルのアップデート中に材料が変更されないように、定数に指定される。一方、本実施形態では、磁石の内側を向いた表面における表面形状を表すパラメータは、平面状の、すなわち「平坦」な、内側を向いた表面を表すものとして定義されるが、それらがアップデート中に修正されて形状が最適化され、図１に示す、非平面状の、内側を向いた表面が生成されるように、変数に指定される。
【００３４】
パラメータ化、パラメータ初期値、および制約条件が定義され、それにより磁石組立体の初期モデルが生成されると（ステップ１１４）、次に、その最初の磁石組立体によって生成された磁場、特に対象となるイメージング・ボリューム用の磁場が、有限要素法（ＦＥＭ）または境界要素法（ＢＥＭ）を採用したシミュレーション技術を用いて見積もられる（ステップ３００）。
【００３５】
磁場が見積もられると、次に、目標磁場と、初期モデルによって表される磁石組立体で生成された磁場との間の偏差が計算される。小さくすべき、好ましくは最小にすべきこの偏差は、一群の設計パラメータによって明示的にまたは黙示的に定めることができる目的関数Ψとして定義される（ステップ３１０）。本実施形態では、目的関数Ψは、磁場が最適化される各領域に対して、少なくとも１つの項Ψｉ（ｉ＝１，２，…）を含んでいる。こうして、少なくとも１つの項Ψｌが存在し、これは、本実施形態では、以下の式（１）で示すように、イメージング・ボリューム１７にわたって行われる、完全に均一な磁場からの実際の磁場の偏差の計算である。
【００３６】
【数１】
2015116491.tif 000003
【００３７】
ここで、Ｂ（ｒ）は位置ｒでの磁場強度であり、Ｂ０は所望の磁場強度である。
【００３８】
本実施形態では、所望の磁場強度Ｂ０の位置は、磁石組立体のアイソセンターの点であるか、あるいはイメージング・ボリューム１７の中心にある。本実施形態では、これらの点は一致している。式（１）の積分は、数学的にΩとして示されるイメージング・ボリューム１７にわたって求められる。目的関数Ψは、磁場が決定される各領域に対して、少なくとも１つの項を含んでいる。本実施形態では、目的関数Ψの少なくとも１つの項は、イメージング・ボリュームにわたって計算された、完全に均一な磁場からの実際の磁場の偏差の大きさである。しかしながら、他の領域も最適化することが望まれる場合、各領域は関連する項を有しており、その項は、同様に、その領域の関連するボリュームにわたって計算された、その領域において望まれる磁場からの実際の磁場の偏差の大きさである。このような場合、Ωｉとして示される他の領域は偏差を小さくすることが求められ、目的関数Ψのｉ番目の項Ψｉは、以下の式（２）で示すように計算される。
【００３９】
【数２】
2015116491.tif 000004
【００４０】
ここで、Ｂ（ｒ）は位置ｒでの磁場強度であり、Ｂ０は所望の磁場強度である。
【００４１】
この場合、磁石組立体１によって生成されると推定された磁場の、目標磁場からの偏差を表す、好適な全目的関数Ψは、以下の式（３）で示すように、各項の加重和として単純に計算される（ステップ３１２）。
【００４２】
【数３】
2015116491.tif 000005
【００４３】
ここで、ｗｉは、ｉ番目の項Ψｉに対するユーザ定義の重みである。
【００４４】
重みｗｉは、加重和における各項Ψｉを、ユーザによって決定された重要度に応じて増大させる役目を有している。例えば、干渉軽減よりもイメージング・ボリュームの均一性を優先させるために、（磁石組立体１に隣接したある点に設けられた検出器５０またはリニア加速器などの）他の物体または装置と一致する点よりも大きい重みをイメージング・ボリューム１７の中心点に与えてもよい。
【００４５】
本発明の目的を満たす妥当な設計を得るために、目的関数やその各項の別の定義を用いることができることがわかるであろう。例えば、目的関数は、領域そのものにわたる積分よりもむしろ上記のΩとΩｉとで示される領域の境界にわたる積分の計算を含むことができる。
【００４６】
目的関数が一群の入力パラメータに基づいて定義され（したがって、そのパラメータに依存するようにされ）ると、変数に指定された設計パラメータのＮ個の部分集合が後進され、全目的関数Ψを小さくする。アップデートされるこれらＮ個の変数は、最適化される形状を記述している。最適化プロセスのｋ番目の繰り返し時に、設計ベクトルｚｋは、以下の式（４）で示すように、要素が個別の変数パラメータであるようなベクトルに定義される。
【００４７】
【数４】
2015116491.tif 000006
【００４８】
ここで、ｚｋｊは、ｋ番目の繰り返し時のｊ番目（ｊ＝１，…，Ｎ）の変数パラメータである。
【００４９】
本実施形態では、内側を向いた表面（磁極面４，５）は、偏差を小さくし、それによって目標磁場を生成するために、外形が形作られる。用いられる変数は、図２に示すように、磁極面４，５上の一群の点１８のそれぞれの軸方向位置を表している。図２において、各位置は、第１の磁極組立体２の中心から対向する第２の磁極組立体３の中心へ概ね延びる第１の軸に対して測定される。これらの点は、それらの半径方向位置の、角度位置に対するプロットが（これらの位置は両方とも第１の軸に対して測定したものであるが）図３に示す二次元格子を形成するように配置される。次に、実際の磁極面４，５が、磁極面４，５のそれぞれの上に位置する一群の変数パラメータ間の線形補間によって記述される。理解されるように、これらの変数パラメータが満足される制約条件は、物理的に妥当な設計を確保するために設けられている。したがって、そのような制約条件が、磁極面４，５上の上記の点の軸方向位置における許容値の範囲を含んでいることが好ましく、それにより、対向する２つの磁極組立体２，３の間の最小距離間隔だけでなく、磁極面２，３の最小軸方向幅も実現されている。
【００５０】
上記のパラメータ化によって生じた磁極組立体２，３が必ずしも軸対称に限定されないことが有利である。よって、イメージング・ボリューム１７内での軸対称および非軸対称の磁場不均一性の両方が有益に低減され、磁石組立体１の内部の、またはこれに隣接した任意の領域で生成された磁場の有益な調整によって、磁場に干渉したり、磁場によって干渉されたりしうる他の物体および／または装置を収容することが可能となる。
【００５１】
本明細書に記載した設計パラメータ化は説明のために示されており、それは、どのパラメータを変数に指定するか、またこれらのパラメータが、記述しようとする実際の形状とどのように関係しているかについて、他の多くの変更例や選択肢が存在するためである。例えば、上記した一群の点は磁極面４，５の表面に必ずしも実際にある必要はないが、むしろ、実際の磁極面４，５を規定する他の補間法に用いられる加重制御点であればよい。制御点の個数および幾何分布は、設計者の要求に基づいて、他の何らかの方法で選択されてもよい。さらに、永久磁石片６，７の磁化分布などの特定の材料特性と同様に、追加の設計パラメータ、例えば、磁極組立体２，３の位置、向き、または他の様々な寸法などを変数に指定することができる。
【００５２】
アップデート（ステップ４００）中には、各繰り返し時に、可変設計パラメータのそれぞれを調整して目的関数Ψの値を小さくすることで偏差を小さくするために、非線形数理最適化アルゴリズムが用いられる。目的関数Ψは、設計パラメータに対して高度に非線形であることがわかっている。よって、妥当な繰り返し回数内で、目的関数Ψの極小値が適切に定められた許容範囲内に収束することを実現するために、ロバストな非線形最適化アルゴリズムが用いられる。本実施形態では、用いられる非線形最適化アルゴリズムは最急降下法である。一般に、（ｋ＋１）番目の繰り返し時の設計ベクトルは、以下の式（５）で示すように、ｋ番目の繰り返し時の設計ベクトルから得られる。
【００５３】
【数５】
2015116491.tif 000007
【００５４】
ここで、αｋは、探索方向ベクトルｄｋのスカラステップサイズである。
【００５５】
ステップサイズαｋは、ｋ番目の繰り返し時の設計ベクトルを探索方向にアップデートさせる量を増加させる。ステップサイズαｋは、正確でない直線探索アルゴリズムを用いて求められる。最急降下法によれば、探索方向ベクトルｄｋは、以下の式（６）で示すように定義される。
【００５６】
【数６】
2015116491.tif 000008
【００５７】
ここで、∇は勾配演算子であり、∇Ψｋは、ｋ番目の繰り返し時に求められた、可変設計パラメータに対する目的関数の勾配ベクトルである。
【００５８】
∇Ψｋのｊ番目の要素は、以下の式（７）で示すように計算される。
【００５９】
【数７】
2015116491.tif 000009
【００６０】
最急降下法によって要求される式（７）の一次導関数は、正確には求められないかもしれないが、近似値を求めることができる。一次導関数の近似値を求める幾つかの方法を用いることができるが、最も簡単な方法の１つは、有限差分近似に基づいて各一次導関数を計算することである。有限差分近似は、特定の繰り返し時の単一の変数パラメータｚｋｊがその正常値から小さな有限量δｚだけ摂動を受けるような設計のための目的関数Ψと、その特定の繰り返し時の非摂動な設計のための目的関数Ψとの間の差を、以下の式（８）で示すように計算することを含んでいる。
【００６１】
【数８】
2015116491.tif 000010
【００６２】
図４は、図１の磁極組立体２だけを分離して示している。磁石組立体の一部として、完全に平坦な／平面状の表面を備えたほぼ円柱の形状が、初期モデル用に経験的に選択された。上記の最適化方法を実行した後、磁石組立体１用の単項の目的関数Ψの値が極小になるようにアップデートされ、イメージング・ボリューム１７内に大きく均一な磁場が得られた。より詳細には、磁極組立体２の強磁性体片８の、内側を向いた表面４上での位置を表す変数パラメータが、凹凸のある、内側を向いた表面４を表すために、初期の平面状の形状からアップデート中に修正された。図４からわかるように、凹凸を設けることによって、強磁性体片８のボリューム全域で磁性材料の量が変化する。
【００６３】
非軸対称のヨーク構造体１０（図１参照）のために、結果として得られた強磁性体片８は非軸対称であった。そのボリューム全域で磁性材料の厚さにばらつきがあるため、磁極組立体２は、同様に構成された磁極組立体３と協働して、その内側を向いた表面４全域に様々な磁場強度を生成し、それら磁場強度が組み合わされて、イメージング・ボリューム１７内にほぼ均一な磁場を生成する。
【００６４】
例えば、磁石組立体に加えて、イメージング・ボリューム内の磁場を許容できないほど不均一にする方法でイメージング・ボリューム内の磁場を乱すことができる、１つまたは複数の物体および／または装置を組み込むようにモデルをアップデートするためなど、追加の目的を達成するために、上記した例で述べた原理を用いることができる。例えば、そのような物体として、治療室内の物理的障壁、線形加速器などの１つまたは複数の装置、画像検出器または他の物体などを挙げることができる。そのような場合、見積もり、計算、およびアップデートは、このアップデートされたモデルに基づいて行われるであろう。そのような１つまたは複数の装置は、その１つまたは複数の装置を許容できないように動作させる方法で、それら自体がイメージング・ボリューム内の磁場によって乱れることができる場合もある。本方法は、例えば、この１つまたは複数の装置と磁場との干渉を減らすように、アップデートされたモデルに基づいて目標磁場を修正することをさらに含んでいてよい。修正は、隣接した装置を収容するようにイメージング・ボリュームの形状を修正することを含んでいてよく、あるいは、隣接した装置を収容するように不均一性の許容閾値を修正することを含んでいてよい。そのような装置は、磁石によって規定された空間に挿入されていてよく、あるいは少なくとも一方の磁石に空けられた穴内に配置されていてよく、あるいはその両方であってよい。
【００６５】
一実施形態によれば、追加の物体および／または装置を含むように、または少なくとも一方の磁石に空けられた穴を含むように磁場を決定する本方法は、多数の連続した段階で実行される。各段階では、上記した修正の１つまたは複数が、前段階での最適化から得られた磁石組立体の設計に組み込まれる。新たに組み込まれた修正に関連した、何らかの新たな関連制約条件と目的関数で望まれる追加項とも含められ、偏差低減方法が再度実行され、その結果、その段階の磁石組立体設計が得られる。全ての所望の修正がコンピュータモデルシミュレーションに組み込まれ、最終的な設計が得られるまで、多数の段階が実行される。これらの修正は、設計最適化方式全体の中では特定の順序で配置されていてよく、変数に指定された設計パラメータは、異なる段階の間で同じままである必要はない。
【００６６】
図５から図７には、磁石組立体１９全体を貫通して空けられた２つの大きな穴３５，３６を有する磁石組立体１９の一実施形態が示されている。より詳細には、第１および第２の穴３５，３６は、ヨーク構造体２８の第１および第２のヨークプレート２９，３０にだけでなく、第１および第２の磁極組立体２０，２１にもそれぞれ空けられている。磁場を決定するために、前述した実施形態のパラメータ化とは異なるパラメータ化が用いられ、磁極組立体表面２２，２３の放射状の直線に沿って設けられた一群の点３７の軸方向位置となるように設計変数を選択することで、軸対称の磁極組立体が得られる。このことは、特に図６に示されている。隣接する点３７同士の間の軸方向位置を直線補間した後、磁極組立体の中心からの半径方向距離が等しい表面２２上の全ての点について、それらの軸方向位置を等しくさせることで、磁極組立体表面２２は形成される。言い換えれば、点３７は、磁極組立体表面２２上における、環状で同心の、一連の円錐台状セグメントの高さを示している。理解されるように、本実施形態での設計パラメータ化は、どのパラメータを変数に指定するか、またそのようなパラメータが表面の実際の形状とどのように関係しているかに関して、他の変更例や選択肢に置き換えることができる。
【００６７】
図７は、上記したアップデート中に図６の平面状の表面から図７に示した非平面状の／凹凸のある表面に修正された、強磁性の磁極片２６一実施形態を示している。より詳細には、完全に平坦な表面を備えたほぼ円柱状の形状が磁極片の初期設計として経験的に選択され、最適化方法が実行されて、磁石組立体１９の単項の目的関数Ψの値を局所的に最小化するようにモデルがアップデートされ、それにより、磁石組立体のアイソセンター（図面には図示せず）における球状のイメージング・ボリューム内に大きく均一な磁場が得られた。
【００６８】
イメージング・ボリューム用の磁場と、初期モデルおよびアップデートされたモデルとを決定する、本明細書に記載した本方法は、サーバおよび他の装置によって実行される命令であって、コンピュータで実行可能な命令を含む１つ以上のアプリケーションで具体化されていてよい。このアプリケーションは、ルーチン、プログラム、オブジェクトコンポーネント、データ構造等を含むプログラムモジュールを有していてよく、コンピュータに読み込み可能な媒体上に格納された、コンピュータに読み込み可能なプログラムコードとして具体化されていてよい。コンピュータに読み込み可能な媒体は、データを格納することができるデータストレージであって、そのデータは、後でコンピュータによって読み取り可能である。コンピュータに読み込み可能な媒体の例としては、例えば、リードオンリーメモリ、ランダムアクセスメモリ、ＣＤ−ＲＯＭ、磁気テープ、および光学データストレージデバイスが挙げられる。コンピュータに読み込み可能なプログラムコードは、互いに接続されたコンピュータシステムを含むネットワークを通じて配信することもでき、それにより、コンピュータに読み込み可能なプログラムコードを分散した状態で格納し実行することができる。
【００６９】
本明細書に示した教示に基づいて他の実施形態が着想可能であることが理解されよう。例えば、上記した第１および第２の磁極組立体は、コイル磁石の形態で置き換えられてよく、あるいはコイル磁石の形態を伴っていてよい。そのような実施形態では、設計プロセスで変更されて様々な磁場強度を生成する最適化パラメータは、ここで既に述べた複数のパラメータだけでなく、コイルの巻き数、コイル電流、コイル線の太さ、コイルの形状、コイルの位置などの、コイル磁石設計に関係した多数のパラメータからなる組み合わせを含んでいてよい。
【００７０】
上記した方法が行われている間の、見積もり、計算、およびアップデートは、閾値回数まで繰り返し実行されるが、他の方法も考えられる。例えば、目的関数Ψによって表される偏差の大きさが閾値レベルを下回るまで、あるいは目的関数Ψによって表される偏差の大きさが、連続した繰り返しの間の閾値量以上には変化しなくなるまで、見積もり、計算、およびアップデートを繰り返し実行することができる。
【００７１】
上記した最急降下法が非線形最適化を実行するために用いられるが、その代わりに、文字通り利用可能な他の数理非線形最適化アルゴリズムが用いられていてよい。そのような代替のアルゴリズムとして、シンプレックス法、共役勾配法、または最急降下法とシンプレックス法と共役勾配法との組合せが挙げられる。
【００７２】
式（７）の一次導関数を見積もるための有限差分法について上述したが、その代わりに、当業者には公知のより複雑な手法および近似式を用いて、一次導関数の近似値を求めることができる。そのような技術の１つが、設計感度解析として知られている。
【００７３】
上記では主に、特定の実施形態ではほぼ均一な磁場である、イメージング・ボリューム用の目標磁場を決定するために説明がなされているが、他の応用も考えられる。例えば、イメージング・ボリューム用の目標磁場はほぼ均一な磁場でなくてよく、むしろ、特定の応用のために予め定められた、傾斜および方向を有する特定の勾配を備えた不均一な磁場であってよい。より一般的には、目標磁場が撮像で使用するためのものではなく、他の機能のためである応用が考えられる。そのような機能の１つは、放射線治療装置によって放射された、電子、陽子、光子などの粒子を方向付けする機能である。例えば、偏向磁石を用いて現在行われているような、電子ビーム、光子ビーム、または（陽子線治療のための）陽子ビームの経路をそのエネルギーに応じて方向付け／案内／変更するために、目標ボリューム用の磁場を決定することが望ましいことがある。上記した本方法によって、磁石組立体の２つ以上の磁石が同一あるか、あるいは互いに鏡像であるような様々な応用や、所望の結果、例えば上記したような偏向を実現するために、磁石組立体の２つ以上の磁石が異なっているような様々な応用を提供することができる。したがって、初期モデルでは、それらの磁石は、それぞれが平面状の内側を向いた表面を有しているという点だけでなく、それらが同一か互いに鏡像であるかという点でも同じであるが、制約条件および要求に応じてアップデートされたモデルでは、２つの磁石は、偏向または撮像用の勾配を実現するために、正確には同じではないという意味で異なる結果となってよい。事実、これら２つの磁石は、その制約条件および要求に応じて、アップデートされたモデルでは互いにかなり異なる形状と寸法とを有し、所望の結果を得るようになっていてよい。
【００７４】
実施形態について述べてきたが、当業者には、添付の特許請求の範囲によって規定される目的および範囲から逸脱することなく変更および修正が可能であることが理解されるであろう。
【図１】
2015116491.tif 000011
【図２】
2015116491.tif 000012
【図３】
2015116491.tif 000013
【図４】
2015116491.tif 000014
【図５】
2015116491.tif 000015
【図６】
2015116491.tif 000016
【図７】
2015116491.tif 000017
【図８】
2015116491.tif 000018
【図９】
2015116491.tif 000019
【図１０】
2015116491.tif 000020
【手続補正書】
【提出日】平成27年2月5日(2015.2.5)
【手続補正１】
【補正対象書類名】特許請求の範囲
【補正対象項目名】請求項１
【補正方法】変更
【補正の内容】
【請求項１】
磁石組立体用の少なくとも２つの磁石を製作するためのパラメータを定義する方法であって、
互いに一定の間隔を置いて配置された前記少なくとも２つの磁石を有し、概ね第１の磁石の中心から第２の磁石の中心へ延びる軸を有する前記磁石組立体と、目標ボリューム内の磁場を許容できないほど不均一にするように前記目標ボリューム内の前記磁場を乱すことができる１つ以上の物体との初期モデルを生成することと、
前記モデルに基づいて、前記目標ボリューム用の前記磁場を見積もることと、
前記見積もられた磁場と、前記目標ボリューム用の均一な目標磁場との間の偏差を計算することと、
様々な磁場強度を生成し、該磁場強度が組み合わされて前記目標ボリューム内に前記均一な目標磁場を実質的に生成するように、前記磁石組立体を表す１つ以上のパラメータを非軸対称に修正することで前記偏差を小さくするように前記モデルをアップデートすることと、
前記磁石組立体用の前記少なくとも２つ磁石を製作するために、前記アップデートされたモデルを使用することと、
を含む方法。
【手続補正２】
【補正対象書類名】特許請求の範囲
【補正対象項目名】請求項１３
【補正方法】変更
【補正の内容】
【請求項１３】
磁石組立体用の少なくとも２つの磁石を製作するためのパラメータを定義するための命令が格納された、コンピュータに読み込み可能な媒体であって、コンピュータによって前記命令が実行されると、前記コンピュータが、
互いに一定の間隔を置いて配置された前記少なくとも２つの磁石を有し、概ね第１の磁石の中心から第２の磁石の中心へ延びる軸を有する磁石組立体と、目標ボリューム内の磁場を許容できないほど不均一にするように前記目標ボリューム内の前記磁場を乱すことができる１つ以上の物体との初期モデルを生成することと、
前記モデルに基づいて、前記目標ボリューム用の前記磁場を見積もることと、
前記見積もられた磁場と、前記目標ボリューム用の均一な目標磁場との間の偏差を計算することと、
様々な磁場強度を生成し、該磁場強度が組み合わされて前記目標ボリューム内に前記均一な目標磁場を実質的に生成するように、前記磁石組立体を表す１つ以上のパラメータを非軸対称に修正することで前記偏差を小さくするように前記モデルをアップデートすることと、
前記磁石組立体用の前記少なくとも２つ磁石を製作するために、前記アップデートされたモデルを使用することと、
を行う、コンピュータに読み込み可能な媒体。